(57)【要約】      （修正有）【課題】複数の蓋付容器を安定して積み重ねでき、その蓋付容器の周動を防止し、ラベル表示の向きを一定方向に揃えて積み重ね陳列時の美観を向上し得る蓋付容器の提供。【解決手段】容器本体２と、透明又は半透明材料から形成され、平坦な蓋体上面４とこれと連接する側周壁とを有する蓋体３とからなる蓋付容器１において、容器本体と蓋体とが略円形状で内嵌合され、複数個の蓋付容器を積み重ねた状態で各蓋付容器が周動しないよう容器本体底面と蓋体上面とが積み重ね固定でき、蓋体の側周壁５の一部にラベル表示部が設けられ、蓋体には把手部が付設され、容器本体に蓋体の把手部と位置合わせするための表示を設けた蓋付容器。【選択図】図１
0003139754.tif 000002
【実用新案登録請求の範囲】
【請求項１】
容器本体と、透明又は半透明材料から形成され、平坦な蓋体上面とこれと連接する側周壁とを有する蓋体とからなる蓋付容器において、
容器本体と蓋体とが略円形状で内嵌合され、
複数個の蓋付容器を積み重ねた状態で各蓋付容器が周動しないよう容器本体底面と蓋体上面とが積み重ね固定でき、
蓋体の側周壁から蓋体上面の一部にラベル表示部が設けられ、
蓋体には把手部が付設され、
容器本体に蓋体の把手部と位置合わせするための表示を設けたことを特徴とする蓋付容器。
【請求項２】
容器本体と、透明又は半透明材料から形成され、平坦な蓋体上面とこれと連接する側周壁とを有する蓋体とからなる蓋付容器において、
容器本体と蓋体とが略円形状で内嵌合され、
複数個の蓋付容器を積み重ねた状態で各蓋付容器が周動しないよう容器本体底面と蓋体上面とが積み重ね固定でき、
蓋体の側周壁から蓋体上面の一部にラベル表示部が設けられ、
蓋体には把手部が付設され、
容器本体には、前記把手部を収容し、かつ容器本体と蓋体との周動を規制する凹部を設けたことを特徴とする蓋付容器。
【請求項３】
容器本体と蓋体の一方又は両方の端面にうねり形状が付されていることを特徴とする請求項１又は２に記載の蓋付容器。
【請求項４】
容器本体底面と蓋体上面とを積み重ね固定する手段が、容器本体底面と蓋体上面の形状を非円形の形状としたことであることを特徴とする請求項１〜３のいずれかに記載の蓋付容器。
【請求項５】
ラベル表示部を除く蓋体上面の周縁部に凸条又は凹条が形成されたことを特徴とする請求項１〜４のいずれかに記載の蓋付容器。
【考案の詳細な説明】
【技術分野】
【０００１】
本考案は、スーパーマーケットや商店において、煮汁などを含む惣菜、カットした野菜や果実などを入れるための蓋付容器に関し、特に汁漏れを防止できる積み重ね可能な蓋付容器に関する。
【背景技術】
【０００２】
従来、この種の蓋付容器としては、例えば、容器本体と、その開口部に嵌合される透明または半透明材料から形成した蓋体とからなる包装用容器であって、前記蓋体は、大部分を占めることになるフラットな上面と、この上面に連続してラベルを貼付するための傾斜面とを形成したものとし、前記傾斜面の断面形状を円弧状にし、この傾斜面の延長面が前記蓋体のフランジ上面に接するものとするとともに、この傾斜面と前記フランジとの間に、前記容器本体の開口部内側に係合する下方膨出部を形成した包装用容器が提案されている（例えば、特許文献１参照。）。
【特許文献１】特許第３５８４３４７号公報
【考案の開示】
【考案が解決しようとする課題】
【０００３】
しかしながら、特許文献１に開示された包装用容器は、複数の容器を積み重ねて固定するための手段を有しておらず、複数の容器を積み重ねて陳列できない。
また、蓋体上面のフラットな部分が円形状であると、積み重ね用の凹凸を容器底面と蓋体に設けても周動してしまい、ラベルを貼付した容器のラベル面を揃えて陳列できない。
【０００４】
本考案は前記事情に鑑みてなされ、複数の蓋付容器を安定して積み重ねでき、その蓋付容器の周動を防止し、ラベル表示の向きを一定方向に揃えて積み重ね陳列時の美観を向上し得る蓋付容器の提供を目的とする。
【課題を解決するための手段】
【０００５】
前記目的を達成するため、本考案は、容器本体と、透明又は半透明材料から形成され、平坦な蓋体上面とこれと連接する側周壁とを有する蓋体とからなる蓋付容器において、
容器本体と蓋体とが略円形状で内嵌合され、
複数個の蓋付容器を積み重ねた状態で各蓋付容器が周動しないよう容器本体底面と蓋体上面とが積み重ね固定でき、
蓋体の側周壁から蓋体上面の一部にラベル表示部が設けられ、
蓋体には把手部が付設され、
容器本体に蓋体の把手部と位置合わせするための表示を設けたことを特徴とする蓋付容器を提供する。
【０００６】
また本考案は、容器本体と、透明又は半透明材料から形成され、平坦な蓋体上面とこれと連接する側周壁とを有する蓋体とからなる蓋付容器において、
容器本体と蓋体とが略円形状で内嵌合され、
複数個の蓋付容器を積み重ねた状態で各蓋付容器が周動しないよう容器本体底面と蓋体上面とが積み重ね固定でき、
蓋体の側周壁から蓋体上面の一部にラベル表示部が設けられ、
蓋体には把手部が付設され、
容器本体には、前記把手部を収容し、かつ容器本体と蓋体との周動を規制する凹部を設けたことを特徴とする蓋付容器を提供する。
【０００７】
本考案の蓋付容器において、容器本体と蓋体の一方又は両方の端面にうねり形状が付されていることが好ましい。
【０００８】
本考案の蓋付容器において、容器本体底面と蓋体上面とを積み重ね固定する手段が、容器本体底面と蓋体上面の形状を非円形の形状としたことであることが好ましい。
【０００９】
本考案の蓋付容器において、ラベル表示部を除く蓋体上面の周縁部に凸条又は凹条が形成されたことが好ましい。
【考案の効果】
【００１０】
本考案の蓋付容器は、複数個の蓋付容器を積み重ねた状態で各蓋付容器が周動しないよう容器本体底面と蓋体上面とに積み重ね係合固定できる凹部及び／または凸部を設けているので、複数の蓋付容器を安定して積み重ねでき、その蓋付容器の周動を防止し、ラベル表示の向きを一定方向に揃えて陳列できるので、積み重ね陳列時の美観を向上させることができる。
また、容器本体と蓋体とが略円形状で内嵌合される構造なので、角形容器に比べて汁漏れが生じ難い。
また、蓋体の側周壁の一部にラベル表示部を設け、蓋体に把手部を付設し、容器本体にこの把手部と位置合わせするための表示を設けたことによって、ラベル表示を一定方向（例えば、正面）に揃えて積み重ねて陳列することが簡単にできる。
また、容器本体に、前記把手部を収容し、かつ容器本体と蓋体との周動を規制する凹部を設けたので、容器本体に蓋体を内嵌合する際に、この凹部内に把手部を収容することで、確実に積み重ねた容器の周動を防止できる。
また、容器本体と蓋体の一方又は両方の端面にうねり形状を付したので、消費者等が容器本体や蓋体の端で手を切ったりすることがなく、安全性を高めることができる。
また、容器本体底面と蓋体上面の形状を非円形の形状として、容器本体底面と蓋体上面とを積み重ね固定するようにしたので、簡単な構造によって確実に積み重ねた容器の周動を防止できる。
さらに、ラベル表示部を除く蓋体上面の周縁部に凸条又は凹条を設けた構成としたので、蓋体上面に容器本体底面を積み重ねた際に周動せず、加えて凸条又は凹条により蓋体上面の周縁部が補強されて潰れ難くなる。
【考案を実施するための最良の形態】
【００１１】
以下、図面を参照して本考案の蓋付容器の実施形態を説明する。
図１〜図１１は、本考案の蓋付容器の一実施形態を示し、図１は蓋付容器の平面図、図２は同正面図、図３は同斜視図、図４は容器本体の平面図、図５は同正面図、図６は同斜視図、図７は蓋体の平面図、図８は同正面図、図９は同斜視図、図１０は容器本体と蓋体の積み重ね状態の正面図、図１１は同斜視図である。
これらの図中、符号１は蓋付容器、２は容器本体、３は蓋体、４は蓋体上面、４Ａは凸条、５は蓋体側周壁、６は蓋体嵌合部、７は蓋体フランジ、８は把手部、９はうねり形状、１０はラベル表示部、１１は垂直面、１２は容器本体底面、１３は容器本体側周面、１４は容器本体フランジ、１５はうねり形状、１６は位置合わせ表示、１７は容器本体嵌合部である。
【００１２】
本実施形態の蓋付容器１は、容器本体２と、透明又は半透明材料から形成され、平坦な蓋体上面４とこれと連接する側周壁５とを有する蓋体３とからなり、容器本体２の嵌合部１７と蓋体３の嵌合部６とが略円形状で内嵌合され、複数個の蓋付容器１を積み重ねた状態で各蓋付容器１が周動しないよう容器本体底面１２と蓋体上面４とが積み重ね固定でき、蓋体側周壁５から蓋体上面４の一部にラベル表示部１０が設けられ、蓋体フランジ７に把手部８が付設され、容器本体２に把手部８と位置合わせするための位置合わせ表示１６を設けたことを特徴としている。
【００１３】
本実施形態において、蓋付容器１の容器本体２及び蓋体３は、透明又は半透明の合成樹脂シートを真空成形、真空圧空成形、熱盤成形などの成形法によって成形した合成樹脂製の容器本体２と蓋体３とを例示している。この合成樹脂材料としては、特に限定されないが、例えば、ポリスチレン系樹脂、ポリプロピレン系樹脂、ポリエチレン系樹脂、ポリエチレンテレフタレート系樹脂などを用いることができる。また、容器本体２は透明でなくてもよく、前述した合成樹脂材料を発泡させた発泡シートを成形した発泡樹脂成形体、複数種の合成樹脂層が積層された積層シート成形体、合成樹脂シートと繊維、金属箔などを複合化した複合材シート成形体などを用いることもできる。
【００１４】
容器本体２は、図４〜図６に示すように、多角形状をなす容器本体底面１２と、その周縁から斜め上方に広がるように立設された容器本体側周面１３と、該容器本体側周面１３の上端部が水平方向に向けて広がった外縁が多角形状の容器本体フランジ１４とを有している。この容器本体フランジ１４の先端部は、下方に向けて折れ曲がり、この部分にはうねり形状１５が設けられている。
【００１５】
容器本体側周面１３と、容器本体フランジ１４との境界部は、蓋体嵌合部６が内嵌合される略円形をなす段状の容器本体嵌合部１７になっている。
また、容器本体フランジ１４の一部（具体的には多角形の一辺）には、模様などの印により他の容器本体フランジ１４と容易に区別し得る位置合わせ表示１６が形成されている。なお、この位置合わせ表示１６に代えて、容器本体２に蓋体３の把手部８を収容し、かつ容器本体２と蓋体３との周動を規制する凹部を設けた構成とすることもできる。
【００１６】
蓋体３は、図７〜図９に示すように、平坦な蓋体上面４とこれと連接する蓋体側周壁５とを有し、蓋体側周壁５から蓋体上面４の一部には、表示ラベルを添付するためのほぼ平らな傾斜面であるラベル表示部１０が設けられている。このラベル表示部１０を除く蓋体上面４の周縁部には、多角形の一部を欠いた形状をなす凸条４Ａが設けられている。この凸条４Ａには、多角形状をなす容器本体底面１２が嵌り込み、周動しないように係合されるようになっている。このようにラベル表示部１０を除く蓋体上面４の周縁部に凸条４Ａを設けた構成としたことで、蓋体上面４に容器本体底面１２を積み重ねた際に容器が周動することなく、また凸条４Ａにより蓋体正面の周縁部が補強されて潰れ難くなる。なお、この凸条４Ａに代えて凹条を設けることもできる。
【００１７】
この蓋体側周壁５の先端部は、水平方向に広る水平部、さらに外周が上部へいく程外周が少なくなる、いわゆる逆テーパ形状に立ち上がり、同様に逆テーパ形状を備えた容器本体嵌合部１７に内嵌合される蓋体嵌合部６が形成されている。容器本体２と蓋体３とが略円形状で内嵌合することで、汁漏れを防止できる。角形容器では、嵌合部で容器本体と蓋体とが直線と曲線で接触するため、均一に接触させることが難しく、汁漏れを防止し難い。
【００１８】
図１２は、本実施形態における容器本体２と蓋体３の内嵌合構造を示す断面図である。この内嵌合構造において、容器本体嵌合部１７は、容器本体側周面１３の上縁部が水平方向に延び、途中でほぼ垂直に折曲されて形成されたほぼ直角の段部を有する構造とされ、また蓋体嵌合部６は、蓋体側周壁５の下縁部が水平方向に延び、途中で上方に向け窄まり状態で折曲され形成された段部を有する構造とされている。この容器本体嵌合部１７に蓋体嵌合部６を嵌合した場合、図１２に示すように、蓋体嵌合部１７の下端部外周が容器本体嵌合部１７のほぼ垂直な内周面に圧接した状態となり、容器本体２に蓋体３が強く内嵌合されることで、汁漏れを生じにくい。一方上記構造によれば、密封性を高めることができる反面、蓋体取付け時に容器内部に空気が密閉され、嵌合部が嵌入しにくいことがある。そのため、蓋体に針穴や切り込みを設けてもよい。
【００１９】
この蓋体嵌合部６の先端側は、水平方向に屈曲されて蓋体フランジ７となっており、この蓋体フランジ７の端にはうねり形状９が設けられている。
【００２０】
この蓋体フランジ７の一部（図示した例示では、ラベル表示部１０の垂直面１１の左端近傍部）には、把手部８が径方向外側に向けて延出するように付設されている。この把手部８についても、少なくとも周縁部、又は全域にうねり形状を設けることが望ましい。
【００２１】
ラベル表示部１０の下縁は、蓋体側周壁５に水平方向に広がる水平部との間には蓋体上面４と略垂直な垂直面１１が設けられている。この垂直面１１を設けたことで、ラベル表示部１０の機械強度、特に長手方向中央の強度が向上でき、ラベル表示部１０を広い平坦傾斜面としても、長手方向中央で折れ曲がり難くすることができ、ラベル表示部１０をより広い平坦傾斜面とすることができる。
【００２２】
図１０〜図１１は、複数の蓋付容器１を積み重ねた状態における蓋体３とその上に載せた容器本体２との位置関係を示す図である。
複数の蓋付容器１を積み重ねて陳列するには、上下の各蓋付容器１を係合固定する必要がある。その固定方法としては、容器本体底面１２と蓋体上面４とに互いに係合可能な凹凸などを設けて係合させることが知られている。しかし、略円形状で内嵌合する構造の容器は、蓋体上面の形状も通常円形となり、蓋体上面が円形であると積み重ねた蓋付容器が周動してしまう。従って、本考案のようにラベル表示部１０を一定方向（例えば、正面）に揃えて積み重ねて陳列することができない（例えば、特許文献１参照。）。
【００２３】
そこで、本考案では、積み重ねた状態で各蓋付容器１が周動しないように、容器本体底面１２と蓋体上面４とを、互いに係合可能な多角形状とすることで、容器本体底面１２と蓋体上面４に積み重ねられた容器本体底面１２が嵌り込み、周動しないように係合されるように構成し、さらに蓋体３に付設した蓋体取り外し用の把手部８を利用し、この蓋体３の把手部８と位置合わせするための表示を容器本体２に設けている。これにより本考案の蓋付容器１は、ラベル表示部１０にラベルを添付し、容器本体２の位置合わせ１６と把手部８とが合致するように容器本体２に対して蓋体３を内嵌合することで、ラベル表示部１０を一定方向（例えば、正面）に揃えて積み重ね陳列することができる。
【００２４】
図１３〜図１５は、この蓋付容器１において使用可能なうねり形状を例示するものである。図１〜図１１に示す実施形態にあっては、図１５に示すタイプのうねり形状を、容器本体フランジ１４の先端と、蓋体フランジ７の先端及び把持部８に設けた場合を例示しているが、これに限定されない。
【００２５】
図１３は、この蓋付容器１において使用可能なうねり形状の第１例を示し、（Ａ）は蓋体３の要部斜視図、（Ｂ）は蓋体３の要部平面図である。本例のうねり形状９は、蓋体フランジの外周縁が、水平方向に見て細かく波打ったうねり形状になっている。うねり形状（波形形状）の山１８と谷１９との差は、０．２〜１．０ｍｍの範囲が好ましい。また、うねり形状（波形形状）のピッチ（山と山との間隔又は谷と谷との間隔）は、０．５〜５ｍｍの範囲が好ましい。
【００２６】
図１４は、この蓋付容器１において使用可能なうねり形状の第２例を示す蓋体の要部斜視図である。本例のうねり形状９は、蓋体フランジの外周縁が、上下に細かくうねった形状になっている。それにより、フランジ外周縁は、平面視ではほぼ真っ直ぐであるが、横から見ると（水平方向に見ると）、横方向に延びる（水平方向に延びる）周縁が、上下に細かくうねった形状になっている。このうねりの山２０と谷２１との差は、第１例と同様、０．２〜１．０ｍｍの範囲が好ましく、また、うねりのピッチ（山と山との間隔又は谷と谷との間隔）は、０．５〜５ｍｍの範囲が好ましい。
【００２７】
図１５は、この蓋付容器において使用可能なうねり形状の第３例を示し、（Ａ）はうねり形状の平面図、（Ｂ）は断面図である。本例のうねり形状９は、蓋体フランジや把手部の上面側に突出した多数の小突起２２と、蓋体フランジや把手部の裏面側に窪んだ多数の小さな窪み２３とが、規則的に形成されている。そして、蓋体３の外周が裁断されることによって、その外周縁は、図１５（Ｂ）に示すように、蓋体フランジや把手部に形成された多数の小突起２２と、多数の小さな窪み２３とを横断した裁断線によって形成された上下方向にうねったエッジとなっている。本例の場合も、蓋体フランジや把手部の外周縁は、直線上ではなくうねっているから、手指や包装フィルムに対する接触の鋭利度が低下する。
【００２８】
図１３〜図１５に示すようなうねり形状は、形成するうねり形状が刻設された成形用金型を用いて成形、裁断することによって作製可能である。
このように、容器本体２と蓋体３の端に前記うねり形状を形成することで、消費者等が容器本体２や蓋体３の端で手を切ったりすることがなくなり、安全性を高めることができる。
【図面の簡単な説明】
【００２９】
【図１】本考案の蓋付容器の一実施形態を示す平面図である。
【図２】本考案の蓋付容器の一実施形態を示す正面図である。
【図３】本考案の蓋付容器の一実施形態を示す斜視図である。
【図４】同じ蓋付容器の容器本体の平面図である。
【図５】同じ蓋付容器の容器本体の正面図である。
【図６】同じ蓋付容器の容器本体の斜視図である。
【図７】同じ蓋付容器の蓋体の平面図である。
【図８】同じ蓋付容器の蓋体の正面図である。
【図９】同じ蓋付容器の蓋体の斜視図である。
【図１０】同じ蓋付容器の容器本体と蓋体の積み重ね状態の正面図である。
【図１１】同じ蓋付容器の容器本体と蓋体の積み重ね状態の斜視図である。
【図１２】同じ蓋付容器の内嵌合構造を示す要部断面図である。
【図１３】本考案の蓋付容器において使用可能なうねり形状の第１例を示し、（Ａ）は蓋体の要部斜視図、（Ｂ）は蓋体の要部平面図である。
【図１４】本考案の蓋付容器において使用可能なうねり形状の第２例を示す蓋体の要部斜視図である。
【図１５】本考案の蓋付容器において使用可能なうねり形状の第３例を示し、（Ａ）はうねり形状の平面図、（Ｂ）は断面図である。
【符号の説明】
【００３０】
１…蓋付容器、２…容器本体、３…蓋体、４…蓋体上面、４Ａ…凸条、５…蓋体側周壁、６…蓋体嵌合部、７…蓋体フランジ、８…把手部、９…うねり形状、１０…ラベル表示部、１１…垂直面、１２…容器本体底面、１３…容器本体側周面、１４…容器本体フランジ、１５…うねり形状、１６…位置合わせ表示、１７…容器本体嵌合部、１８…山、１９…谷、２０…山、２１…谷、２２…小突起、２３…窪み。
【図１】
0003139754.tif 000003
【図２】
0003139754.tif 000004
【図３】
0003139754.tif 000005
【図４】
0003139754.tif 000006
【図５】
0003139754.tif 000007
【図６】
0003139754.tif 000008
【図７】
0003139754.tif 000009
【図８】
0003139754.tif 000010
【図９】
0003139754.tif 000011
【図１０】
0003139754.tif 000012
【図１１】
0003139754.tif 000013
【図１２】
0003139754.tif 000014
【図１３】
0003139754.tif 000015
【図１４】
0003139754.tif 000016
【図１５】
0003139754.tif 000017